(57)【要約】      （修正有）【課題】断熱性が優れ、睡眠圧が改善される多機能複合布団を提供する。【解決手段】多機能複合布団であって、生活用布団の技術分野に関する。表地１と、裏地２と、表地１と裏地２との間に設けられる機能層３と、上から下へ、表地１、機能層３及び裏地２を順に接続する接続部材４と、を含み、機能層３はラテックス層又はメモリーフォーム層である。【選択図】図１
0003225639.tif 000002
【実用新案登録請求の範囲】
【請求項１】
表地（１）と、
裏地（２）と、
前記表地（１）と前記裏地（２）との間に設けられる機能層（３）と、
上から下へ、前記表地（１）、前記機能層（３）及び前記裏地（２）を順に接続する接続部材（４）と、を含み、
前記機能層（３）はラテックス層又はメモリーフォーム層であることを特徴とする多機能複合布団。
【請求項２】
前記表地（１）、前記機能層（３）及び前記裏地（２）は固定接続され、前記接続部材（４）は縫い糸（４１）であることを特徴とする請求項１に記載の多機能複合布団。
【請求項３】
前記表地（１）、前記機能層（３）及び前記裏地（２）は取り外し可能に接続されることを特徴とする請求項１に記載の多機能複合布団。
【請求項４】
前記接続部材（４）は、前記表地（１）の周側に設けられるいくつかの第１の接続雌バックル（４２）と、
前記裏地（２）の周側に設けられるいくつかの第１の接続雄バックル（４３）と、
前記機能層（３）の一方の側に設けられ、前記第１の接続雌バックル（４２）と組み立てるための第２の接続雄バックル（４４）と、
前記機能層（３）の他方の側に設けられ、前記第１の接続雄バックル（４３）と組み立てるための第２の接続雌バックル（４５）とを含むことを特徴とする請求項３に記載の多機能複合布団。
【請求項５】
前記接続部材（４）は、前記表地（１）の周側に設けられるいくつかの第１の雌ジッパー（４６）と、
前記裏地（２）の周側に設けられるいくつかの第１の雄ジッパー（４７）と、
前記機能層（３）一方の側に設けられ、前記第１の雌ジッパー（４６）と組み立てるための第２の雄ジッパー（４８）と、
前記機能層（３）の他方の側に設けられ、前記第１の雄ジッパー（４７）と組み立てるための第２の雌ジッパー（４９）と、含むことを特徴とする請求項３に記載の多機能複合布団。
【請求項６】
前記機能層（３）の厚さは０．２−１．５ｃｍであることを特徴とする請求項１に記載の多機能複合布団。
【請求項７】
前記表地（１）及び前記裏地（２）は綿布団、真綿布団又は羊毛布団であることを特徴とする請求項１に記載の多機能複合布団。
【請求項８】
前記機能層（３）には、厚さが前記機能層（３）よりも薄い、ユーザが折り畳むいくつかの折り畳み部（５）が設けられることを特徴とする請求項１に記載の多機能複合布団。
【請求項９】
前記機能層（３）は一体成形されたことを特徴とする請求項８に記載の多機能複合布団。
【請求項１０】
前記表地（１）及び前記裏地（２）は厚さが異なることを特徴とする請求項１に記載の多機能複合布団。
【考案の詳細な説明】
【技術分野】
【０００１】
本考案は、生活用布団の技術分野に関し、具体的には多機能複合布団に関する。
【背景技術】
【０００２】
寒い冬には、暖かく快適な布団が良い睡眠を保証する。既存の布団には、熱損失が容易で、断熱性能が低いという欠点がある。通常、布団の厚さを厚くして寒さから保護する方法が採用されているが、布団が厚すぎると空気が漏れやすくなるため、逆に布団の断熱性が低下する。また、厚い布団を覆うと体が圧迫され、呼吸が妨げられ、睡眠の質の確保に対して不利であるため、改善する必要がある。
【考案の概要】
【考案が解決しようとする課題】
【０００３】
本考案の目的は、従来技術の欠陥及び不足に鑑みて、断熱性が優れ、睡眠圧が改善されるという利点がある多機能複合布団を提供することである。
【課題を解決するための手段】
【０００４】
上記目的を達成するために、本考案が採用される技術案は、多機能複合布団であって、表地と、裏地と、前記表地と前記裏地との間に設けられる機能層と、上から下へ、前記表地、前記機能層及び前記裏地を順に接続する接続部材と、を含み、前記機能層はラテックス層又はメモリーフォーム層である。
【０００５】
本考案は、さらに、前記表地、前記機能層及び前記裏地が固定接続され、前記接続部材は縫い糸である。
【０００６】
本考案は、さらに、前記表地、前記機能層及び前記裏地が取り外し可能に接続される。
【０００７】
本考案は、さらに、前記接続部材が、前記表地の周側に設けられるいくつかの第１の接続雌バックルと、前記裏地の周側に設けられるいくつかの第１の接続雄バックルと、前記機能層の一方の側に設けられ、前記第１の接続雌バックルと組み立てるための第２の接続雄バックルと、前記機能層の他方の側に設けられ、前記第１の接続雄バックルと組み立てるための第２の接続雌バックルと、を含む。
【０００８】
本考案は、さらに、前記接続部材が、前記表地の周側に設けられるいくつかの第１の雌ジッパーと、前記裏地の周側に設けられるいくつかの第１の雄ジッパーと、前記機能層の一方の側に設けられ、前記第１の雌ジッパーと組み立てるための第２の雄ジッパーと、前記機能層の他方の側に設けられ、前記第１の雄ジッパーと組み立てるための第２の雌ジッパーと、を含む。
【０００９】
本考案は、さらに、前記機能層の厚さが０．２−１．５ｃｍである。
【００１０】
本考案は、さらに、前記表地及び前記裏地が綿布団、真綿布団又は羊毛布団である。
【００１１】
本考案は、さらに、前記機能層には、厚さが前記機能層より薄い、ユーザが折り畳むいくつかの折り畳み部が設けられる。
【００１２】
本考案は、さらに、前記機能層が一体成形されている。
【００１３】
本考案は、さらに、前記表地及び前記裏地は厚さが異なる。
【考案の効果】
【００１４】
上記技術案が採用された後、本考案の有益効果は次のとおりである。本考案では、表地と裏地との間に機能層を設置することにより、ラテックス又はメモリーフォームが冬に暖かく、夏に涼しく、繊維が密着し、且つ密度が従来の布団より高いという特徴を利用して、布団の断熱性能を効果的に向上させ、布団による隆起で風邪をひくことを防止することができ、軽量で、体に圧力を与えず、睡眠を改善し、睡眠圧を低下させ、弾性が優れており、密度が均一で、変形しにくく、ふっくらしたラテックスの質感があり、弾性が長持ちする。同時に、さまざまな接続部材を使用して、当該多機能複合布団にさまざまな使用方法を提供し、使用上の多機能性を有する。
【図面の簡単な説明】
【００１５】
本考案の実施例又は従来技術における技術案をより明確に説明するために、以下、実施例又は従来技術の説明に必要な図面を簡単に説明する。勿論、以下に説明する図面は、本考案のいくつかの実施例であり、当業者にとって、創造的な労働を要しない前提で、更にこれら図面に基づいてその他の図面を得ることができる。
【００１６】
【図１】本考案の実施例１の構成模式図である。
【図２】本考案の実施例２の構成模式図である。
【図３】本考案の実施例３の構成模式図である。
【図４】本考案の実施例１、２、３に係る機能層の構成模式図である。
【考案を実施するための形態】
【００１７】
以下、図面を参照しながら、本考案を詳細に説明する。
【００１８】
本実施例は、本考案を解釈するためのものに過ぎず、本考案を制限するためのものではなく、当業者は、本明細書を読んだ後、必要に応じて本実施例に創造性のある貢献を与えない修正を行うことができるが、本考案の請求の範囲内にある限り、すべて実用新案法により保護される。
実施例１
【００１９】
図１に示すように、本実施例は、多機能複合布団に関し、表地１と、裏地２と、表地１と裏地２との間に設けられる機能層３と、上から下へ、表地１、機能層３及び裏地２を順に接続する接続部材４と、を含む。接続部材４により表地１、裏地２、及び機能層３が接続され、機能層はラテックス層又はメモリーフォーム層であり、ラテックス又はメモリーフォームが冬に暖かく、夏に涼しく、繊維が密着し、且つ密度が従来の布団より高いという特徴を利用して、布団の断熱性能を効果的に向上させることができる。
【００２０】
本実施例では、表地１、機能層３及び裏地２は固定接続され、接続部材４は縫い糸４１である。
【００２１】
そのうち、機能層３の厚さは０．２−１．５ｃｍであり、表地１及び裏地２は綿布団、真綿布団又は羊毛布団のうちの１種又は２種である。
【００２２】
機能層３にはいくつかの折り畳み部５が設けられ、折り畳み部５の厚さが機能層３よりも薄いため、ユーザが容易に折り畳んで収納することができる。ただし、機能層３は一体成形された。ラテックスは、防ダニ、抗菌、通気性の効果がある。ラテックスにおけるオークタンパク質は、細菌やアレルゲンが潜むのを防ぐことができるため、環境保護の要件を満たし、細菌やダニの繁殖を抑えることができ、静電気がなく、天然の乳の香りを発散し、喘息やアレルギー性鼻炎及び他の呼吸器系の問題に苦しんでいる人にとって有利である。
実施例２
【００２３】
図２に示すように、本実施例は、多機能複合布団に関し、表地１と、裏地２と、表地１と裏地２との間に設けられる機能層３と、上から下へ、表地１、機能層３及び裏地２を順に接続する接続部材４と、を含む。接続部材４により表地１、裏地２、及び機能層３が接続され、ラテックスが冬に暖かく、夏に涼しく、繊維が密着し、且つ密度が従来の布団より高いという特徴を利用して、布団の断熱性能を効果的に向上させることができる。
【００２４】
本実施例の実施例１との相違点は、表地１、機能層３及び裏地２が取り外し可能に接続されることである。図２に示すように、接続部材４は、表地１の周側に設けられるいくつかの第１の接続雌バックル４２と、裏地２の周側に設けられるいくつかの第１の接続雄バックル４３と、機能層３の一方の側に設けられ第１の接続雌バックル４２と組み立てるための第２の接続雄バックル４４と、機能層３の他方の側に設けられ第１の接続雄バックル４３と組み立てるための第２の接続雌バックル４５と、を含む。
【００２５】
そのうち、機能層３の厚さは０．２−１．５ｃｍであり、表地１及び裏地２は綿布団、真綿布団又は羊毛布団のうちの１種又は２種である。表地１と裏地２は厚さが異なるため、使用する場合、ユーザは、実際の使用ニーズに応じて、より厚い布団層、より薄い布団層、単一機能層３又は当該多機能複合布団を選択して使用することができ、より強い適用性がある。
【００２６】
図４に示すように、機能層３にはいくつかの折り畳み部５が設けられ、機能層３は一体成形されている。折り畳み部５の厚さが機能層３よりも薄いため、ユーザは容易に折り畳んで収納することができる。
実施例３
【００２７】
図３に示すように、本実施例は、多機能複合布団に関し、表地１と、裏地２と、表地１と裏地２との間に設けられる機能層３と、上から下へ、表地１、機能層３及び裏地２を順に接続する接続部材４と、を含む。接続部材４により表地１、裏地２、及び機能層３が接続され、ラテックスが冬に暖かく、夏に涼しく、繊維が密着し、且つ密度が従来の布団より高いという特徴を利用して、布団の断熱性能を効果的に向上させることができる。
【００２８】
本実施例の実施例１との相違点は、表地１、機能層３及び裏地２が取り外し可能に接続されることである。図３に示すように、接続部材４は、表地１の周側に設けられるいくつかの第１の雌ジッパー４６と、裏地２の周側に設けられるいくつかの第１の雄ジッパー４７と、機能層３の一方の側に設けられ第１の雌ジッパー４６と組み立てるための第２の雄ジッパー４８と、機能層３の他方の側に設けられ第１の雄ジッパー４７と組み立てるための第２の雌ジッパー４９と、を含む。
【００２９】
そのうち、機能層３の厚さは０．２−１．５ｃｍであり、表地１及び裏地２は綿布団、真綿布団又は羊毛布団のうちの１種又は２種である。表地１と裏地２は厚さが異なるため、使用する場合、ユーザは、実際の使用ニーズに応じて、より厚い布団層、より薄い布団層、単一機能層３又は当該多機能複合布団を選択して使用することができ、より強い適用性がある。
【００３０】
図４に示すように、機能層３にはいくつかの折り畳み部５が設けられ、機能層３は一体成形されている。折り畳み部５の厚さが機能層３よりも薄いため、ユーザが容易に折り畳んで収納することができる。
【００３１】
本考案の動作原理はおおよそ次のとおりである。本考案では、表地１と裏地２との間に機能層３を設置することにより、ラテックスが冬に暖かく、夏に涼しく、繊維が密着し、且つ密度が従来の布団より高いという特徴を利用して、布団の断熱性能を効果的に向上させ、布団による隆起で風邪をひくことを防止することができ、軽量で、体に圧力を与えず、睡眠を改善し、睡眠圧を低下させ、弾性が優れており、密度が均一で、変形しにくく、ふっくらしたラテックスの質感があり、弾性が長持ちする。同時に、さまざまな接続部材４を使用して、当該多機能複合布団にさまざまな使用方法を提供し、使用上の多機能性を有する。
【００３２】
以上は、本考案の技術案を説明するためのものに過ぎず、限定するものではない。当業者が本考案の技術案に対して行った他の変更または同等の置換は、本考案の技術案の精神及び範囲から逸脱しない限り、本考案の請求の範囲に含まれるべきである。
【符号の説明】
【００３３】
１…表地、２…裏地、３…機能層、４…接続部材、４１…縫い糸、４２…第１の接続雌バックル、４３…第１の接続雄バックル、４４…第２の接続雄バックル、４５…第２の接続雌バックル、４６…第１の雌ジッパー、４７…第１の雄ジッパー、４８…第２の雄ジッパー、４９…第２の雌ジッパー、５…折り畳み部。
【図１】
0003225639.tif 000003
【図２】
0003225639.tif 000004
【図３】
0003225639.tif 000005
【図４】
0003225639.tif 000006